(57)【要約】【課題】手差し以外の給紙方法においても異なる用紙を混在した印刷をする場合の誤った用紙への印刷を無くし、ユーザの負担を軽減することができるようにする。【解決手段】上位装置（１）２ａは、ユーザの印刷指示に基づき印刷装置（１）３ａでの印刷処理に際して用紙確認が必要か否かの設定を行い、その設定に基づく印刷ジョブを生成して印刷装置（１）３ａに送信する。また、印刷装置（１）３ａは、上位装置（１）２ａから受信した印刷ジョブの印刷を開始する際、その印刷ジョブに用紙確認の必要がある旨の設定がなされている場合は、その印刷ジョブに基づく印刷処理を一時停止すると共に、印刷ジョブに含まれた用紙確認の設定に基づき用紙確認処理を実行する。そして、この用紙確認処理においてユーザによる用紙確認操作が完了されると、上記一時停止した印刷ジョブの印刷処理を再開する。【選択図】  図１
2004284258.tif 000002
【特許請求の範囲】
【請求項１】
印刷指示を行う上位装置側で該印刷指示に基づく印刷装置での印刷処理に際して用紙確認が必要か否かの設定を行い、
該設定に基づく印刷ジョブを前記上位装置で作成して前記印刷装置に送信し、
該印刷ジョブを受信する印刷装置では、該印刷ジョブに前記用紙確認の必要がある旨の設定がなされている場合に  前記印刷装置で該印刷ジョブに基づく印刷処理を一時停止して用紙確認処理を行い、
該用紙確認処理においてユーザによる用紙確認操作が完了すると  前記印刷装置で一時停止した印刷ジョブに基づく印刷処理を再開する
ことを特徴とする印刷制御方法。
【請求項２】
前記用紙確認処理は、
用紙確認を促すメッセージを前記印刷装置の表示手段に表示し、前記ユーザによる用紙確認完了操作が行われることを待つ
ことを特徴とする請求項１記載の印刷制御方法。
【請求項３】
前記用紙確認処理は、
前記印刷装置で前記用紙確認の必要がある旨の設定がなされた印刷ジョブに基づく印刷処理を一時停止した場合、該印刷処理を一時停止した旨を前記上位装置に通知し、前記ユーザによる用紙確認完了操作が行われることを待つ
ことを特徴とする請求項１記載の印刷制御方法。
【請求項４】
前記上位装置は、
用紙確認を促すメッセージを表示手段に表示することを特徴とする請求項３記載の印刷制御方法。
【請求項５】
上位装置側からの印刷指示に基づき印刷装置で印刷処理を行う印刷システムにおいて、
前記上位装置は、
前記印刷装置での印刷処理に際して用紙確認が必要か否かの設定を行う設定手段と、
前記設定手段での設定に基づく印刷ジョブを生成する生成手段と、
前記生成手段で生成した印刷ジョブを前記印刷装置に送信する送信手段と
を具備し、
前記印刷装置は、
前記上位装置から送信された印刷ジョブを受信する受信手段と、
前記受信手段で受信した印刷ジョブに前記用紙確認の必要がある旨の設定がなされている場合は、該印刷ジョブに基づく印刷処理を一時停止する停止制御手段と、
前記印刷ジョブの用紙確認の設定に基づき用紙確認処理を実行する用紙確認処理手段と、
前記用紙確認処理手段による用紙確認処理においてユーザによる用紙確認操作が完了すると前記一時停止した印刷ジョブに基づく印刷処理を再開する再開処理手段と
を具備することを特徴とする印刷システム。
【請求項６】
印刷装置に対して印刷指示を行う印刷指示装置であって、
前記印刷装置での印刷処理に際して用紙確認が必要か否かの設定を行う設定手段と、
前記設定手段での設定に基づく印刷ジョブを生成する生成手段と、
前記生成手段で生成した印刷ジョブを前記印刷装置に送信する送信手段と
を具備したことを特徴とする印刷指示装置。
【請求項７】
印刷指示装置で印刷指示された印刷ジョブに基づく印刷処理を行う印刷装置であって、
前記印刷指示装置から送信された印刷ジョブを受信する受信手段と、
前記受信手段で受信した印刷ジョブに前記用紙確認の必要がある旨の設定がなされている場合は、該印刷ジョブに基づく印刷処理を一時停止する停止制御手段と、
前記印刷ジョブの用紙確認の設定に基づき用紙確認処理を実行する用紙確認処理手段と、
前記用紙確認処理手段による用紙確認処理においてユーザによる用紙確認操作が完了すると前記一時停止した印刷ジョブに基づく印刷処理を再開する再開処理手段と
を具備することを特徴とする印刷装置。
【請求項８】
前記用紙確認処理手段は、
用紙確認を促すメッセージを前記印刷装置の表示手段に表示する表示制御手段
を更に有することを特徴とする請求項７記載の印刷装置。
【請求項９】
前記用紙確認処理手段は、
前記停止制御手段により前記用紙確認の必要がある旨の設定がなされた印刷ジョブに基づく印刷処理を一時停止した場合、該印刷処理を一時停止した旨を前記上位装置に通知する通知手段
を更に有することを特徴とする請求項７記載の印刷装置。
【請求項１０】
前記印刷指示装置は、
用紙確認を促すメッセージを表示手段に表示する表示制御手段を更に具備することを特徴とする請求項９記載の印刷装置。
【発明の詳細な説明】
【０００１】
【発明の属する技術分野】
本発明は、ホストコンピュータやパーソナルコンピュータ等の上位装置側からの印刷指示に基づき印刷装置で印刷処理を行う印刷システムに関し、特に、手差し以外の給紙方法においても異なる用紙を混在した印刷をする場合の誤った用紙への印刷を無くすと共にユーザの負担を軽減することができる印刷制御方法、印刷システム、印刷指示装置および印刷装置に関するものである。
【０００２】
【従来の技術】
従来、この種の印刷システムにおいては、例えば、手差しトレイを使用した際に確実にユーザが所望する用紙への印刷を行う手段を提供するものが知られている（特許文献１参照）。
【０００３】
しかしながら、この技術は、手差しトレイに限定されており、その為、手差しトレイを使用した際にユーザが所望する用紙への印刷を行うことはできるものの、用紙情報を検出できる給紙トレイ或いは給紙カセット等を使用した給紙方法において、例えば、ユーザが異なるフォームの印刷がされた同一種類の用紙への印刷を混在させたい場合、予め印刷装置の所定の給紙トレイに必要な用紙をセットした上で印刷指示をかける必要がある。
【０００４】
【特許文献１】
特開２０００−２２９４６０号公報。
【０００５】
【発明が解決しようとする課題】
上述の如く、従来では、給紙トレイ或いは給紙カセット等を使用した給紙方法を用いて異なる用紙を混在した印刷を行いたい場合には、予め印刷装置の所定の給紙トレイに必要な用紙をセットした上で印刷指示をかける必要があった。
【０００６】
この為、従来では、印刷装置を複数のユーザが利用するような環境においては、例えば、ユーザが所望の給紙用紙を印刷装置にセットして印刷指示をホストコンピュータやパーソナルコンピュータ等の上位装置で入力し、上位装置が印刷装置に印刷ジョブを送信し、印刷装置がその印刷ジョブを受信してその印刷ジョブの印刷処理を開始する前に、他のユーザ等により所望しない給紙用紙がセットされてしまうと、誤った用紙へ印刷される虞があった。
【０００７】
このように、従来では、印刷装置を複数のユーザが利用するような環境においては、印刷装置の稼動状態の確認および現在給紙トレイや給紙カセットにセットされている給紙用紙の確認を行いながら印刷指示を出す必要がある為、ユーザにとっては大変面倒な作業であり負担の大きなものとなっていた。
【０００８】
そこで、本発明は上記実状を鑑み、手差し以外の給紙方法においても、異なる用紙を混在した印刷をする場合の誤った用紙への印刷を無くし、ユーザの負担を軽減することが可能な印刷制御方法、印刷システム、印刷指示装置および印刷装置の提供を目的とするものである。
【０００９】
【課題を解決するための手段】
上述した目的を達成するため、請求項１記載の発明は、印刷指示を行う上位装置側で該印刷指示に基づく印刷装置での印刷処理に際して用紙確認が必要か否かの設定を行い、該設定に基づく印刷ジョブを前記上位装置で作成して前記印刷装置に送信し、該印刷ジョブを受信する印刷装置では、該印刷ジョブに前記用紙確認の必要がある旨の設定がなされている場合に  前記印刷装置で該印刷ジョブに基づく印刷処理を一時停止して用紙確認処理を行い、該用紙確認処理においてユーザによる用紙確認操作が完了すると  前記印刷装置で一時停止した印刷ジョブに基づく印刷処理を再開することを特徴とする。
【００１０】
また、請求項２の発明は、請求項１の発明において、前記用紙確認処理は、用紙確認を促すメッセージを前記印刷装置の表示手段に表示し、前記ユーザによる用紙確認完了操作が行われることを待つことを特徴とする。
【００１１】
また、請求項３の発明は、請求項１の発明において、前記用紙確認処理は、前記印刷装置で前記用紙確認の必要がある旨の設定がなされた印刷ジョブに基づく印刷処理を一時停止した場合、該印刷処理を一時停止した旨を前記上位装置に通知し、前記ユーザによる用紙確認完了操作が行われることを待つことを特徴とする。
【００１２】
また、請求項４の発明は、請求項３の発明において、前記上位装置は、用紙確認を促すメッセージを表示手段に表示することを特徴とする。
【００１３】
また、請求項５の発明は、上位装置側からの印刷指示に基づき印刷装置で印刷処理を行う印刷システムにおいて、前記上位装置は、前記印刷装置での印刷処理に際して用紙確認が必要か否かの設定を行う設定手段と、前記設定手段での設定に基づく印刷ジョブを生成する生成手段と、前記生成手段で生成した印刷ジョブを前記印刷装置に送信する送信手段とを具備し、前記印刷装置は、前記上位装置から送信された印刷ジョブを受信する受信手段と、前記受信手段で受信した印刷ジョブに前記用紙確認の必要がある旨の設定がなされている場合は、該印刷ジョブに基づく印刷処理を一時停止する停止制御手段と、前記印刷ジョブの用紙確認の設定に基づき用紙確認処理を実行する用紙確認処理手段と、前記用紙確認処理手段による用紙確認処理においてユーザによる用紙確認操作が完了すると前記一時停止した印刷ジョブに基づく印刷処理を再開する再開処理手段とを具備することを特徴とする。
【００１４】
また、請求項６の発明は、印刷装置に対して印刷指示を行う印刷指示装置であって、前記印刷装置での印刷処理に際して用紙確認が必要か否かの設定を行う設定手段と、前記設定手段での設定に基づく印刷ジョブを生成する生成手段と、前記生成手段で生成した印刷ジョブを前記印刷装置に送信する送信手段とを具備したことを特徴とする。
【００１５】
また、請求項７の発明は、印刷指示装置で印刷指示された印刷ジョブに基づく印刷処理を行う印刷装置であって、前記印刷指示装置から送信された印刷ジョブを受信する受信手段と、前記受信手段で受信した印刷ジョブに前記用紙確認の必要がある旨の設定がなされている場合は、該印刷ジョブに基づく印刷処理を一時停止する停止制御手段と、前記印刷ジョブの用紙確認の設定に基づき用紙確認処理を実行する用紙確認処理手段と、前記用紙確認処理手段による用紙確認処理においてユーザによる用紙確認操作が完了すると前記一時停止した印刷ジョブに基づく印刷処理を再開する再開処理手段とを具備することを特徴とする。
【００１６】
また、請求項８の発明は、請求項７の発明において、前記用紙確認処理手段は、用紙確認を促すメッセージを前記印刷装置の表示手段に表示する表示制御手段を更に有することを特徴とする。
【００１７】
また、請求項９の発明は、請求項７の発明において、前記用紙確認処理手段は、前記停止制御手段により前記用紙確認の必要がある旨の設定がなされた印刷ジョブに基づく印刷処理を一時停止した場合、該印刷処理を一時停止した旨を前記上位装置に通知する通知手段を更に有することを特徴とする。
【００１８】
また、請求項１０の発明は、請求項９の発明において、前記印刷指示装置は、用紙確認を促すメッセージを表示手段に表示する表示制御手段を更に具備することを特徴とする。
【００１９】
【発明の実施の形態】
以下、本発明に係わる印刷制御方法、印刷システム、印刷指示装置および印刷装置の実施の形態を添付図面を参照して詳細に説明する。
【００２０】
図１は、本発明を適用した印刷システム１の一構成例を示す図である。
【００２１】
図１において、この印刷システム１は、上位装置２ａ，２ｂ，２ｃと、印刷装置３ａ，３ｂとがネットワーク４に接続されている。そして、この印刷システム１では、上位装置２から印刷ファイルを含む印刷ジョブをネットワーク４で接続された印刷装置３に送信することにより印刷を行う。
【００２２】
ここで、上記装置２ａ，２ｂ，２ｃは、例えば、ホストコンピュータやパーソナルコンピュータ等の端末であり、ユーザ等の印刷指示に応じて後述の印刷装置３ａ，３ｂに対し印刷ジョブを送信する。
【００２３】
印刷装置３ａ，３ｂは、プリンタやプリンタ機能を有する複合機等であり、上位装置２ａ，２ｂ，２ｃから受信した印刷ジョブに基づき印刷を実行する。
【００２４】
ネットワーク４は、上位装置２と印刷装置３とを相互に接続する。
【００２５】
尚、上記図１の例では、上位装置及び印刷装置をそれぞれ複数示したが、両者共に１つであっても良い。
【００２６】
図２は、図１に示した上位装置２ａ、２ｂ、２ｃの構成を示す図である。
【００２７】
図２において、この上位装置２は、制御部２１と、インタフェース部２２と、メモリ部２３と、記憶装置２４と、表示部２５と、操作部２６と、記憶媒体読取り／書込み部２７と、通信インタフェース部２８とを具えている。
【００２８】
ここで、制御部２１は、この上位装置における各種処理を制御する。そして、本実施例では、特に、後述の用紙確認印刷方法指定画面（図６参照）を用いてユーザにより印刷処理を開始するのに先立って用紙確認が必要な給紙方法が選択された場合に、印刷ジョブに付加する用紙確認情報を設定し、その設定した用紙確認情報を付加した印刷ジョブを生成し、その生成した印刷ジョブを印刷装置３に送信する処理を制御する。
【００２９】
インタフェース部２２は、ネットワーク４を介して印刷装置３ａ，３ｂとのデータのやり取りを行うインタフェースである。
【００３０】
メモリ部２３は、ワークメモリであり、作業中のデータを一時記憶したり、インタフェース部２２で受信したデータ等を一時記憶する。
【００３１】
記憶装置３４は、この上位装置における各種処理プログラムや設定情報等を記憶保持するハードディスク（ＨＤＤ）や大型のメモリである。
【００３２】
表示部２５は、ディスプレイ等であり、各種情報を表示するユーザインタフェース部である。特に、本実施例では、後述の用紙確認印刷方法指定画面（図６参照）や用紙確認要求画面（図８参照）を表示する。
【００３３】
操作部２６は、キーボードやマウス等であり、各種ユーザ指示情報を入力するユーザインタフェース部である。特に、本実施例では、上記表示部２５に表示された用紙確認印刷方法指定画面（図６参照）或いは用紙確認要求画面（図８参照）を用いてユーザが給紙方法の指定や確認ＯＫボタンを押下する場合に用いられる。
【００３４】
記憶媒体読取り／書込み部２７は、フロッピー（登録商標）ディスクやＣＤ等の記憶媒体に対する読み込み或いは書込みを行うフロッピー（登録商標）ディスクドライブ或いはＣＤドライブ等である。
【００３５】
通信インタフェース部２８は、インターネット等を介して通信を行う通信インタフェース部である。
【００３６】
即ち、この上位装置２は、ユーザの指示に応じて、該上位装置で作成された文書或いは画像データや、記憶媒体読取り／書込み部２７で読取ったデータや、通信インタフェース部２８を介してインターネットから受信したデータ等の印刷を印刷装置３に指示する。なお、上記図２では示していないが、スキャナ等で入力したデータも印刷可能であるものとする。
【００３７】
図３は、図１に示した印刷装置３ａ，３ｂの構成を示す図である。
【００３８】
図３において、この印刷装置３は、印刷処理制御部３１と、インタフェース部３２と、メモリ部３３と、記憶装置部３４と、印刷機構部３５と、表示・操作パネル部３６とを備えている。
【００３９】
ここで、印刷処理制御部３１は、この印刷装置における印刷処理を制御する制御部である。そして、本実施例では、特に、上位装置２から受け取った印刷ジョブの印刷を開始するのに先立ってその印刷ジョブに上位装置２で付加される用紙確認情報が付加されているか否かをチェックする処理と、用紙確認情報が付加されている場合にその印刷ジョブの印刷を一時停止する処理と、その一時停止中にユーザに対して用紙確認を促すメッセージを表示処理すると共に上位装置にユーザに対して用紙確認を促すメッセージを表示する為の情報を送信する処理と、その表示処理及び送信処理後、ユーザの確認行為が行われたか否かを検知する処理と、ユーザの確認行為が行われたことが検知された場合に上記一時停止した印刷ジョブの印刷を再開する処理を制御する。
【００４０】
インタフェース部３２は、ネットワーク４を介して上位装置２ａ，２ｂ，２ｃとのデータのやり取りを行うインタフェース部である。
【００４１】
メモリ部３３は、インタフェース部３２で受信した印刷データ等を一時記憶したり、ビットマップに展開した印刷データを記憶するワークメモリである。
【００４２】
記憶装置３４は、この印刷装置における各種処理プログラムや設定情報等を記憶保持する。
【００４３】
印刷機構部３５は、手差しトレイ（３５１）や用紙情報を検出できる給紙トレイ（３５２〜３５Ｎ）（Ｎ：任意の整数）にセットされている用紙（所定のフォーマットが印字されている用紙や、ＯＨＰフィルム、ハガキ、カラー用紙、再生紙、光沢紙、普通紙など）に印刷データに基づく画像の印字を行って図示しない出力トレイに出力用紙を排出する一連の印刷工程を行う機構部である。また、ホッチキス止めやパンチング等の後処理も行う。
【００４４】
表示・操作パネル部３６は、タッチパネル等であり、各種情報を表示したり、ユーザの指示操作を入力するユーザインタフェース部である。特に、本実施例では、後述の用紙確認要求画面（図７参照）を表示する。
【００４５】
次に、このような構成の上位装置及び印刷装置における用紙確認印刷方法の処理動作について説明する。
【００４６】
尚、以下の実施例では、上位装置（１）２ａから印刷装置（１）３ａに印刷指示を行う場合の処理動作について説明する。
【００４７】
図４は、図１に示した上位装置２が印刷装置３に印刷を指示する場合の処理手順を示すフローチャートである。
【００４８】
図４において、まず、上位装置２ａは、制御部２１の制御の下、ユーザにより印刷指示（例えば、図６の「印刷実行」ボタン２０３の押下）が行われた場合、印刷装置での印刷処理に先立ってユーザによる用紙確認が必要な給紙方法、即ち、印刷装置３が上位装置２から受信した印刷ジョブによる給紙用紙への画像の印字動作を実行する前にユーザが給紙用紙の確認作業を必要とする印刷方法が指定されているか否かを判定する（ステップＳ１０１）。即ち、ユーザが図６に示す用紙確認印刷方法指定画面２００を用いて「給紙確認  カセット２」２０１を選択した印刷指示であるかどうかを判定する。ここで、「給紙確認  カセット２」とは、給紙カセット２（３５３）に給紙された用紙をユーザが確認してから印刷動作を実行することをユーザが指示するための選択項目である。また、この他、同図６に示すように、ユーザは「給紙確認  手差し」選択項目２０２を選択することで、印刷装置が印刷ジョブによる給紙用紙への画像の印字動作を実行する前にユーザが手差しトレイ（３５１）にセットされている給紙用紙の確認を行ってから印刷装置に印刷を実行させることができる。このように、ユーザは図６に示すような画面２００を用いて印刷装置が印刷ジョブによる給紙用紙への画像の印字動作を実行する前にユーザが給紙用紙を確認してから印刷装置に印刷を実行させる印刷方法を指定することができる。
【００４９】
ここで、ユーザにより、例えば、上述の「給紙確認  カセット２」が選択され、用紙確認が必要な給紙方法が選択された場合（ステップＳ１０１ＹＥＳ）、次いで、上位装置２ａは、該当する印刷ジョブに付加して印刷装置３ａに用紙の確認が必要である旨を通知する為の用紙確認情報を設定する（ステップＳ１０２）。ここで、例えば、図６の例のように、用紙サイズとして「Ａ４」が指定され、給紙方法として「給紙確認  カセット２」が選択指定されているとすると、上位装置２は、図７に示すような「Ａ４  カセット２  カクニン」というユーザに用紙確認を促す情報を表示・操作パネル３６で表示する為の情報を用紙の確認が必要なことを示す情報と共に用紙確認情報として設定する。また、この時、上位装置は、印刷装置で現在一時停止している印刷ジョブの情報を表示する場合に用いる印刷ジョブ情報として、「ユーザ名」や「ファイル名」を上記用紙確認情報に含ませて設定する。これにより、一時停止している印刷ジョブが誰のものかを印刷装置で知ることができる。
【００５０】
その後、上位装置２ａは、上記Ｓ１０２で設定した用紙確認情報を付加した印刷ジョブを生成する（ステップＳ１０３）。
【００５１】
そして、上位装置２ａは、上記Ｓ１０３で生成した印刷ジョブを該当する印刷装置３ａに送信し（ステップＳ１０４）、ここでの処理を終了する。
【００５２】
また、他方、上記Ｓ１０１の判定の結果、ユーザにより印刷指示が行われた場合、用紙確認が必要な給紙方法が指定されていないと判定された場合（ステップＳ１０１ＮＯ）、上述したような用紙確認情報を付加しない通常の印刷ジョブを生成する（ステップＳ１０３）。その後、上述のＳ１０４に移行して生成した印刷ジョブを該当する印刷装置３ａに送信し、ここでの処理を終了する。
【００５３】
図５は、図１に示した印刷装置３が上位装置２から受信した印刷ジョブの印刷を開始する場合の処理手順を示すフローチャートである。
【００５４】
図５において、印刷装置３ａでは、印刷処理制御部３１の制御の下、上位装置２ａから受信した印刷ジョブの印刷処理を開始する際、まず、その印刷ジョブが用紙確認が必要なものであるか否かを判定する（ステップＳ２０１）。即ち、印刷装置３ａは、上位装置２から受信した印刷ジョブによる給紙用紙への画像の印字動作を実行する前にその印刷ジョブを解析する。そして、その印刷ジョブに上位装置２ａで付加される用紙確認情報が付加されているか否かをチェックし、用紙確認情報が付加されている場合に、その印刷ジョブが給紙用紙への画像の印字動作を実行する前にユーザによる用紙確認が必要な印刷ジョブであると判断する。
【００５５】
上記判定の結果、用紙確認が必要な印刷ジョブであると判断された場合（ステップＳ２０１ＹＥＳ）、印刷装置３ａは、その印刷ジョブの印刷を一時停止する（ステップＳ２０２）。次いで、この印刷一時停止中にユーザに対して用紙確認を促すメッセージを表示・操作パネル部３６に表示すると共に、上位装置２ａにユーザに対して用紙確認を促すメッセージを通知する為の情報を送信する（ステップＳ２０３）。具体的には、上位装置２ａで印刷ジョブに付加された用紙確認情報に基づき、図７に示すような用紙サイズ情報：「Ａ４」、給紙口となるカセット情報：「カセット２」と共に、ユーザ名やファイル名などの「印刷ジョブ情報」をユーザに用紙確認を促すメッセージを表示した用紙確認要求画面３００を表示・操作パネル部３６に表示する。また、上位装置２ａに対して、図８に示すような「カセット２にセットされている用紙の確認をしてください。」といったユーザに用紙確認を促すメッセージを含む用紙確認要求画面２０１を表示する為の情報を送信する。これにより、ユーザは上記一時停止時に、例えば、異なる用紙を混在した印刷をする場合に必要な用紙を所定の給紙カセットにセットすることができる。即ち、ユーザは手差しトレイ以外の自動給紙トレイ或いは自動給紙カセットを用いて異なる用紙を混在した印刷を行うような場合でも意図する用紙が印刷装置３ａの所定の自動給紙トレイ或いは自動給紙カセットにセットされているか否かを確認することができ、それにより、誤った用紙への印刷を未然に防ぐことができる。
【００５６】
その後、印刷装置３ａは、ユーザの用紙確認行為、例えば、「ＯＫ」ボタン３０１の押下操作が行われたか否かを監視し（ステップＳ２０４）、ここで、「ＯＫ」ボタン３０１の押下等のユーザによる用紙確認行為が行われた場合（ステップＳ２０４ＹＥＳ）、上記Ｓ２０２で一時停止した印刷ジョブの印刷を再開する（ステップＳ２０５）。そして、印刷が完了した後（ステップＳ２０６ＹＥＳ）ここでの処理を終了する。
【００５７】
また、他方、上記Ｓ２０１の判定の結果、用紙確認が必要な印刷ジョブでないと特定されると（ステップＳ２０１ＮＯ）、印刷装置３ａでは、そのままＳ２０５に移行してその印刷ジョブの印刷処理を開始し、印刷が完了した後（ステップＳ２０６ＹＥＳ）ここでの処理を終了する。
【００５８】
尚、上記図５の実施例において、基本的には、ユーザは印刷装置まで出向いて所定の給紙用紙を確認した後、印刷装置の表示・操作パネル等（図７の「ＯＫ」ボタン３０１など）を用いて用紙確認完了操作を行う。従って、図８に示す確認画面２０１は、ユーザが自己の印刷ジョブが開始される順番が回って来て現在印刷が一時停止されており用紙確認を行う必要が発生したことを知るために利用される。
【００５９】
また、上記実施例では述べていないが、ユーザに対して用紙確認を促すメッセージを表示・操作パネル３６に表示したり、上位装置に通知してもユーザによる確認行為がされない場合を考慮して、上記表示・操作パネル３６でのメッセージの表示及び上位装置への通知後、予め設定した所定時間（任意に設定可能とする）経過してもユーザによる確認行為がされない場合には、該印刷ジョブの印刷を中止して他の印刷ジョブの印刷処理を行える状態に遷移するものとする。また、印刷ジョブの印刷中止方法として、該当する印刷ジョブを自動的に削除する方法（尚、自動削除した場合には、その自動削除した旨を表示・操作パネル３６に表示したり、上位装置に通知する）、或いは、該当する印刷ジョブを記憶装置３４に保留ジョブとして記憶して管理し、その後、ユーザから保留ジョブに対する印刷再開指示があった場合に再度上述の図５の処理を行う方法とが考えられる。
【００６０】
また、上記図５のＳ２０３の処理において、ユーザに対して用紙確認を促した際に、ユーザによって該当する印刷ジョブの削除（印刷処理のキャンセル）を印刷装置の表示・操作パネル部或いは上位装置から指定できるようにしても良い。この場合、印刷装置では、上記Ｓ２０４ＮＯで、上記図５のＳ２０４、Ｓ２０５、Ｓ２０６の処理を行う事無く、この処理を抜けて該当する印刷ジョブの削除処理を行い、ジョブの削除が完了した後、他の印刷ジョブの印刷処理が行える状態に遷移する。尚、この手動削除の場合、削除が完了したことを上位装置に通知してユーザに知らせるようにしても良い。
【００６１】
また、上記実施例では、ユーザに対する用紙確認を促す方法として、印刷装置の表示・操作パネル或いは上位装置の表示部に用紙確認を促すメッセージを表示する方法を示したが、これ以外にも印刷装置或いは上位装置にて音声通知するようにしても良い。
【００６２】
上述した構成によると、上位装置にて、用紙確認の設定を付加した場合でも給紙方法の選択を可能としたことにより、手差しトレイ以外の給紙トレイ或いは給紙カセット等からの給紙方法でも、異なる用紙を混在して使用する場合のユーザの負担を軽減することができる。
【００６３】
また、ホストコンピュータ等の上位装置にて給紙方法の選択を行うとともに特定の設定で印刷指示を行うことで、印刷装置は一時停止を行い、用紙確認を促すメッセージを表示することによって、ユーザは意図する用紙が印刷装置にセットされていることを確認した後、特定の操作により印刷動作の再開を行うことが可能となる為、誤った用紙への印刷をなくすことができる。
【００６４】
また、ホストコンピュータにて給紙方法を選択することにより、手差しトレイ以外での用紙の確認も行うことが可能となり、例えば同一用紙サイズで別用途の用紙を混在して使用する場合にも確実にユーザの意図する用紙への印刷が可能となる。
【００６５】
また、印刷実行の直前で用紙確認できることから、例えばネットワーク上で複数ユーザから印刷指示があり、多種多様な複数の印刷指示による印刷を連続して行うような場合で印刷装置に現在セットされている給紙用紙が分からないような場合であっても、ユーザは印刷装置の稼動状態やセットされている給紙用紙を気にすることなく印刷指示を出すことができる。
【００６６】
また、複数ユーザからの複数ジョブ印刷時に、用紙確認行為が必要な事象の発生をホストコンピュータ等の上位装置の画面表示にて直ちに知ることができ、用紙の確認作業までの時間のロスを削減することができる。
【００６７】
【発明の効果】
以上説明したように、本発明によれば、手差し以外の給紙方法においても異なる用紙を混在した印刷をする場合の誤った用紙への印刷を無くし、ユーザの負担を軽減することができる。
【図面の簡単な説明】
【図１】本発明を適用した印刷システムの一構成例を示す図。
【図２】図１に示した上位装置の構成を示す図。
【図３】図１に示した印刷装置の構成を示す図。
【図４】図１に示した上位装置が印刷装置に印刷を指示する場合の処理手順を示すフローチャート。
【図５】図１に示した印刷装置が上位装置から印刷指示を受け取った場合の印刷処理手順を示すフローチャート。
【図６】上位装置の表示部に表示される用紙確認印刷方法指定画面の一構成例を示す図。
【図７】印刷装置の表示部に表示される用紙確認要求画面の一構成例を示す図。
【図８】上位装置の表示部に表示される用紙確認要求画面の一構成例を示す図。
【符号の説明】
１…印刷システム、２ａ，２ｂ，２ｃ…上位装置、３ａ，３ｂ，３ｃ…印刷装置、４…ネットワーク、２１…制御部、２２…インタフェース部、２３…メモリ部、２４…記憶装置（ＨＤＤ）、２５…表示部、２６…操作部、２７…記憶媒体読取り／書込み部、２８…通信インタフェース部、３１…印刷処理制御部、３２…インタフェース部、３３…メモリ部、３４…記憶装置、３５…印刷機構部、３６…表示・操作パネル部
【図１】
2004284258.tif 000003
【図２】
2004284258.tif 000004
【図３】
2004284258.tif 000005
【図４】
2004284258.tif 000006
【図５】
2004284258.tif 000007
【図６】
2004284258.tif 000008
【図７】
2004284258.tif 000009
【図８】
2004284258.tif 000010